(57)【要約】【課題】スクリーンが開閉方向に沿った両側端にガイド用の一対のファスナ部材を備えて成る巻取り式のスクリーン装置において、よりスムーズな開閉動作を実現する。【解決手段】巻取りボックス内の両端部には、巻取り軸１６から繰り出されたスクリーン１１を掛け回して方向転換することにより、ファスナ部材２０をガイド溝１４ａへと導くための一対の転向子３０が、互いに対向するように配設されている。転向子３０は、基端側の小径部３０ｂと先端側の大径部３０ｃとにより構成され、ファスナ部材２０は、ガイド溝１４ａに摺動自在に係合する多数の係合子２０ｂが列設されて成り、スクリーン１１が一対の転向子３０に掛け回された状態において、ファスナ部材２０の係合子２０ｂが小径部３０ｂ側に位置している。【選択図】図４
2016132920.tif 000002
【特許請求の範囲】
【請求項１】
周囲が四辺の開口枠によって区画された建物開口部に装着するための巻取り式スクリーン装置であって、
該スクリーン装置は、
その開閉方向に沿って互いに平行を成す両側端に、ガイド用のファスナ部材がそれぞれ取り付けられて成る可撓性のスクリーンと、
長手方向の両端に第１端及びそれと逆側の第２端をそれぞれ有していて、前記開閉方向に沿って互いに平行に配されており、前記スクリーンの開閉時に前記ファスナ部材を摺動自在に案内するためのガイド溝を長手方向に沿って備えた一対のガイド枠と、
前記スクリーンの一端側が固定され、該スクリーンを巻き取るための巻取り軸と、
前記一対のガイド枠の第１端側が両端部にそれぞれ連結されていて、前記巻取り軸を内部で回動自在に支持する巻取りボックスと、
前記スクリーンの他端側に取り付けられ、前記一対のガイド枠に沿って移動自在に設けられた可動框と、
を含んでおり、
前記巻取りボックス内の両端部には、該巻取り軸から繰り出されたスクリーンを掛け回して方向転換することにより、前記ファスナ部材を前記ガイド溝へと導くための一対の転向子が、互いに対向するように配設されていて、
前記転向子は、基端側の小径部と先端側の大径部とにより構成され、
前記ファスナ部材は、前記ガイド溝に摺動自在に係合する多数の係合子が列設されて成り、
前記スクリーンが前記一対の転向子に掛け回された状態において、前記ファスナ部材の係合子が前記小径部側に位置している、
ことを特徴とするもの。
【請求項２】
請求項１に記載の巻取り式スクリーン装置であって、
前記転向子が、前記大径部と小径部とを一体成型して成り回動自在に形成されている、
ことを特徴とするもの。
【請求項３】
請求項１または請求項２に記載の巻取り式スクリーン装置であって、
前記ガイド枠は、前記ガイド溝が形成されたインナーレールと、該インナーレールが装着されたレール溝を含み、
前記インナーレールは、その前記第１端側の端面に前記ガイド溝の端部開口を備え、
前記一対の転向子の中心軸が、前記巻取りボックスの見込方向において前記巻取り軸の中心と前記ガイド溝の端部開口との間に位置していると共に、前記開閉方向において該ガイド溝の端部開口よりもその延長側に位置しており、
前記転向子の大径部の半径が、前記見込方向における該転向子の中心と前記端部開口の中心との距離と略等しくなっている、
ことを特徴とするもの。
【請求項４】
請求項３に記載の巻取り式スクリーン装置であって、
前記一対のガイド枠が、前記巻取りボックスの見込方向において前記巻取り軸よりも背面側に連結されていて、
前記巻取りボックスにおける前記一対のガイド枠の取付け位置の間に、スクリーンの全開時に前記可動框を収容するための凹部が形成されており、
前記開閉方向において、前記インナーレールの端部開口が、前記巻取り軸の中心と前記転向子との間に配されている、
ことを特徴とするもの。
【請求項５】
請求項３または請求項４に記載の巻取り式スクリーン装置であって、
前記一対のガイド枠の第２端側に、スクリーンの全閉時に前記可動框を当接させるための受け枠の両端部が連結されていて、
該受け枠の両端部には、前記インナーレールの前記第２端側の端面を前記第１端方向に付勢して、その第１端側の端面を前記巻取りボックスに形成されたストッパ部に当接させる付勢バネが設けられている、
ことを特徴とするもの。
【請求項６】
請求項５に記載の巻取り式スクリーン装置であって、
前記受け枠と一対のガイド枠とが、該受け枠の両端部及びこれらガイド枠の前記第２端側に、略Ｌ字状に形成された樹脂製の連結部材をそれぞれ嵌入することによって連結されており、
前記付勢バネが、前記連結部材の前記受け枠に沿った周壁を略Ｕ字状に切り込んで成る板バネによって形成され、該板バネの先端部に、前記インナーレールの前記第２端側の端面に当接させる突部が形成されている、
ことを特徴とするもの。
【発明の詳細な説明】
【技術分野】
【０００１】
本発明は、防塵、遮光、断熱、防虫等を目的として、建物開口部に装着するための巻取り式スクリーン装置であって、開閉方向に沿ったスクリーンの両側端にガイド用のファスナ部材を備えたものに関する。
【背景技術】
【０００２】
窓枠等の建物開口枠に装着するための網戸等の巻取り式スクリーン装置としては、例えば特許文献１に記載されたように、上下両縁に突起が設けられて成る網体と、該網体の開閉時に前記突起を摺動自在に案内するための一対のガイドレールと、前記網体の左右の一端が固定さて該網体を巻き取るための巻き取りローラと、該巻き取りローラを内部で回動可能に軸支する収納ケースと、前記網体の左右の他端が固定され、前記一対のガードレールに沿って左右方向へスライド可能に設けられた引桟とを有するものが従来より知られている。
【０００３】
ところで、このような網体等のスクリーンの両側縁にガイド用の突起すなわちファスナ部材を設けて成る巻取り式スクリーン装置にあっては、該ファスナ部材がスクリーンの送りに与える影響を考慮して、よりスムーズな開閉動作を実現することが望まれる。
【先行技術文献】
【特許文献】
【０００４】
【特許文献１】特開２００２−２９５１４８号公報
【発明の概要】
【発明が解決しようとする課題】
【０００５】
本発明の技術的課題は、スクリーンが開閉方向に沿った両側端にガイド用の一対のファスナ部材を備えて成る巻取り式のスクリーン装置において、よりスムーズな開閉動作を実現することにある。
【課題を解決するための手段】
【０００６】
前記課題を解決するため、本発明に係る巻取り式スクリーン装置は、周囲が四辺の開口枠によって区画された建物開口部に装着するための巻取り式スクリーン装置であって、該スクリーン装置は、その開閉方向に沿って互いに平行を成す両側端に、ガイド用のファスナ部材がそれぞれ取り付けられて成る可撓性のスクリーンと、長手方向の両端に第１端及びそれと逆側の第２端をそれぞれ有していて、前記開閉方向に沿って互いに平行に配されており、前記スクリーンの開閉時に前記ファスナ部材を摺動自在に案内するためのガイド溝を長手方向に沿って備えた一対のガイド枠と、前記スクリーンの一端側が固定され、該スクリーンを巻き取るための巻取り軸と、前記一対のガイド枠の第１端側が両端部にそれぞれ連結されていて、前記巻取り軸を内部で回動自在に支持する巻取りボックスと、前記スクリーンの他端側に取り付けられ、前記一対のガイド枠に沿って移動自在に設けられた可動框と、を含んでおり、前記巻取りボックス内の両端部には、該巻取り軸から繰り出されたスクリーンを掛け回して方向転換することにより、前記ファスナ部材を前記ガイド溝へと導くための一対の転向子が、互いに対向するように配設されていて、前記転向子は、基端側の小径部と先端側の大径部とにより構成され、前記ファスナ部材は、前記ガイド溝に摺動自在に係合する多数の係合子が列設されて成り、前記スクリーンが前記一対の転向子に掛け回された状態において、前記ファスナ部材の係合子が小径部側に位置していることを特徴としている。
【０００７】
このような、本発明に係る巻取り式スクリーン装置によれば、転向子が、基端側の小径部と先端側の大径部とにより構成され、スクリーンが転向子に掛け回された状態において、該スクリーンのファスナ部材の係合子が、前記転向子の小径部側に位置するように構成されている。そのため、開閉動作の際に、前記ファスナ部材の多数の係合子が前記転向子の大径部の外周面上を通ることがなく、ノイズが発生したり、該ファスナ部材が取り付けられたスクリーンの両側端の送りが乱れたりするのを防止することができ、その結果、スクリーンをより滑らかに転向させることが可能となる。
ここで、前記転向子が、前記大径部と小径部とを一体成型して成り回動自在に形成されていると好ましく、そうすることにより、スクリーンをさらに滑らかに転向させることが可能となる。
【０００８】
また、前記巻取り式スクリーン装置において、前記ガイド枠は、前記ガイド溝が形成されたインナーレールと、該インナーレールが装着されたレール溝を含み、前記インナーレールは、その前記第１端側の端面に前記ガイド溝の端部開口を備え、前記一対の転向子の中心軸が、前記巻取りボックスの見込方向において前記巻取り軸の中心と前記ガイド溝の端部開口との間に位置していると共に、前記開閉方向において該ガイド溝の端部開口よりもその延長側に位置しており、前記転向子の大径部の半径が、前記見込方向における該転向子の中心と前記端部開口の中心との距離と略等しくなっているとより好ましい。
そうすることにより、前記巻取り軸から繰り出されて前記転向子で転向されたスクリーンの係合子を、前記インナーレールの端部開口からガイド溝内へとよりスムーズに導入することが可能となる。
【０００９】
さらに、この巻取り式スクリーン装置においては、前記一対のガイド枠が、前記巻取りボックスの見込方向において前記巻取り軸よりも背面側に連結されていて、前記巻取りボックスにおける前記一対のガイド枠の取付け位置の間に、スクリーンの全開時に前記可動框を収容するための凹部が形成されており、前記開閉方向において、前記インナーレールの端部開口が、前記巻取り軸の中心と前記転向子との間に配されていても良い。
このような構成を具備したスクリーン装置によれば、スクリーンの全開時に、その開閉方向における開口寸法をより大きくすることができるため、より広い開口面積を確保することが可能となる。
【００１０】
このとき、好ましくは、前記一対のガイド枠の第２端側に、スクリーンの全閉時に前記可動框を当接させるための受け枠の両端部が連結されていて、該受け枠の両端部には、前記インナーレールの前記第２端側の端面を前記第１端方向に付勢して、その第１端側の端面を前記巻取りボックスに形成されたストッパ部に当接させる付勢バネが設けられている。
そうすることにより、たとえ製造誤差や熱による伸縮が生じたとしても、インナーレールのガイド枠に対する安定した装着状態を確保することができ、その結果、開閉動作の際に、ファスナ部材が取り付けられたスクリーンの両側端を、インナーレールのガイド溝に沿ってスムーズに案内することが可能となる。
【００１１】
なお、前記受け枠と一対のガイド枠とが、該受け枠の両端部及びこれらガイド枠の前記第２端側に、略Ｌ字状に形成された樹脂製の連結部材をそれぞれ嵌入することによって連結されており、前記付勢バネが、前記連結部材の前記受け枠に沿った周壁を略Ｕ字状に切り込んで成る板バネによって形成され、該板バネの先端部に、前記インナーレールの前記第２端側の端面に当接させる突部が形成されていても良い。
このような構成を採用することにより、部品点数の増加を抑制することが可能となる。
【発明の効果】
【００１２】
このような、本発明に係る巻取り式スクリーン装置によれば、開閉動作の際に、前記ファスナ部材の多数の係合子が前記転向子の大径部の外周面上を通ることがないため、ノイズが発生したり、該ファスナ部材が取り付けられたスクリーンの両側端の送りが乱れたりするのを防止することができる。そして、その結果、スクリーンをより滑らかに転向させることができ、よりスムーズな開閉動作を実現することが可能となる。
【図面の簡単な説明】
【００１３】
【図１】本発明に係る巻取り式スクリーン装置の斜視図である。
【図２】図１に示す巻取り式スクリーン装置の正面図である。
【図３】図１に示す巻取り式スクリーン装置の横断面図である。
【図４】ガイド枠と巻取りボックスとの接続部を示す巻取りボックス内部の要部拡大斜視図である。
【図５】（ａ）は第１支持軸部に巻取り筒を嵌合する前の状態を示す図であり、（ｂ）は第１支持軸部に巻取り筒を嵌合した状態を示す図である。
【図６】スクリーンを転向子に巻回した状態を示す断面図である。
【図７】第２端部カバーとガイド枠との接続部を示す分解図である。
【図８】第２端部カバーの要部拡大側断面図である。
【図９】スクリーンのほぼ全開状態を示す巻取りボックスとガイド枠の要部横断面図である。
【図１０】受け枠とガイド枠との接続部の分解図である。
【図１１】ガイド枠と受け枠との連結部の構造を示す概略的な断面図であり、（ａ）は付勢バネが変形していない状態、（ｂ）は付勢バネが変形してインナーレールに付勢力を付与している状態を示している。
【発明を実施するための形態】
【００１４】
以下に、本発明に係る巻取り式スクリーン装置の一実施形態として、横引き式の網戸を例に挙げて詳細に説明する。
図１〜図３に示すように、巻取り式スクリーン装置１０は、周囲が四辺の開口枠１ａ〜１ｄによって区画された略矩形の建物開口部１に対し、横引きにて開閉動作可能に装着するためのものである。そして、このスクリーン装置１０は、可撓性のスクリーン１１と、前記建物開口部の上下の横開口枠１ａ，１ｂに沿ってそれぞれ固定され、開閉動作時に前記スクリーン１１の開閉方向（図２の左右方向）に延びる上下両側端を案内するガイド溝１４ａ，１４ａをそれぞれ備え、互いに平行に配される上下一対のガイド枠１２，１２と、前記スクリーン１１の一端側が固定されて、開動作に伴って前記スクリーン１１を巻き取るための巻取り軸１６と、前記建物開口部１の左右何れか一方の縦開口枠１ｃ（１ｄ）に沿って固定され、前記巻取り軸１６を内部で回動自在に支持する巻取りボックス１７と、前記スクリーン１１の他端側に取り付けられ、開閉動作時に前記巻取りボックス１７と平行を成して前記ガイド枠１２，１２に沿って横移動自在に設けられた可動框１８と、前記建物開口部１の左右何れか他方の縦開口枠１ｄ（１ｃ）に沿って固定され、スクリーン１１の全閉時に前記可動框１８を当接させた状態で係脱可能に係止するための受け枠１９とから構成されている。
【００１５】
前記スクリーン１１は、防虫網から成るスクリーン本体１１ａと、開閉動作時に、その上下両側端を前記ガイド溝１４ａ，１４ａによってそれぞれ案内させるためのガイド用のファスナ部材２０，２０とにより構成されている。該ファスナ部材２０は、帯状の基材２０ａの長手方向に沿った一方の縁側に、前記ガイド溝１４ａに対し摺動自在に係合させる多数の係合子２０ｂが一列に設けられて成るもので、該基材２０ａの他方の縁側が、前記スクリーン本体１１ａの上下両側端に沿って固定されている。
【００１６】
前記ガイド枠１２は、アルミ等の金属材料によって長手方向に横断面が略均一に形成された枠本体２２と、長手方向に前記ガイド溝１４ａを備え、同じく横断面が略均一に形成された樹脂製のインナーレール１４とにより構成されている。そして、該ガイド枠１２は、長手方向の両端に第１端１２ａ及びそれと逆側の第２端１２ｂを有しており、前記一対のガイド枠１２，１２の第１端１２ａ，１２ａが前記巻取りボックス１７の長手方向の両端部に、第２端１２ｂ，１２ｂが前記受け枠１９の長手方向の両端部にそれぞれ連結されている。
【００１７】
このとき、図４に示すように、前記各ガイド枠１２，１２の枠本体２２，２２における前記スクリーン１１に臨む面、すなわち互いに対向する内面には、前記インナーレール１４を装着するための第１レール溝２２ａ（本発明におけるレール溝）が形成されている。また、該第１レール溝２２ａの開口側の長手方向に沿った両側には、前記可動框１８を摺動自在にガイドするための第１框溝２２ｂ，２２ｂが互いに対向して形成されている。そして、前記第１レール溝２２ａを区画する互いに対向する側壁には、溝幅を狭めて前記インナーレール１４を該第１レール溝２２ａに保持するための一対の第１鍔部２２ｃ，２２ｃが、長手方向に沿って突設されている。
【００１８】
その一方で、前記インナーレール１４は、前記一対の鍔部２２ｃ，２２ｃの溝幅よりも幅広でプレート状を成した基部１４ｂと、該基部１４ｂの片面中央部から突設され、これら一対の鍔部２２ｃ，２２ｃ間の溝幅よりも幅狭に形成されたレール本体部１４ｃとによって構成されている。そして、該レール本体部１４ｃにおける前記スクリーン１１を臨む先端側に前記ガイド溝１４ａが開設され、前記基部１４ｂが前記一対の鍔部２２ｃ，２２ｃよりも溝底側に配されることにより、該インナーレール１４が前記第１レール溝２２ａ内に抜脱しないように保持されている。
【００１９】
前記インナーレール１４の前記ガイド溝１４ａはレール本体部１４ｃを長手方向に貫通しており、前記巻取りボックス１７側の第１端１４ｆに、前記ファスナ部材２０の係合子２０ｂを出し入れするための端部開口１４ｄを形成している。また、該ガイド溝１４ａにおける前記スクリーン１１を臨む開口部の互いに対向する両縁には、長手方向に沿って一対の第２鍔部１４ｅ，１４ｅがそれぞれ突設されて、開口部の溝幅が前記係合子２０ｂの太さ（すなわち厚さ）よりも狭められている。そのため、前記係合子２０ｂを該ガイド溝１４ａに対し、溝の延設方向には摺動自在に、かつ開口部方向には抜脱不可能に係合させた状態で、保持させることができるようになっている。
また、図３に示すように、前記端部開口１４ｄの逆側の第２端１４ｇは、前記受け枠１９に設けられている後述する付勢バネ３９ｃに当接している。
【００２０】
前記巻取り軸１６は、図２に示すように、中空の円筒状に形成されて前記スクリーン１１を外周面に巻き取る巻取り筒２３と、該巻取り筒２３に前記スクリーン１１を巻き取るための駆動源として該巻取り筒２３内に配された巻取り機構２４とにより構成されている。ここで、前記巻取り筒２３は、前記スクリーン本体１１ａを巻き取るための中央巻取り部２３ａと、該中央巻取り部２３ａよりも若干小径に形成され、前記一対のファスナ部材２０，２０をそれぞれ巻き取るための一対の端部巻取り部２３ｂ，２３ｃとにより形成されている。そして、前記中央巻取り部２３ａは、前記スクリーン本体１１ａの幅と同じかそれよりも若干短く形成されており、前記端部巻取り部２３ｂ，２３ｃは、前記ファスナ部材２０の幅と同じかそれよりも若干長い間隔となるように、前記中央巻取り部２３ａの両端に同軸に連設されている。
【００２１】
また、図２、図５（ａ），（ｂ）にも示すように、上端側の端部巻取り部２３ｂには、その上端に形成された鍔状の端板部２３ｄと、前記巻取り軸１６を上側で支持するための第１支持軸部２８を挿入することで、巻取り筒２３を第１支持軸部２８に対して回転可能とする円形の嵌合孔２３ｆとが形成されている。また、下端側の端部巻取り部２３ｃには、その下端に形成され後述する第２支持軸部２９のスライド部２９ａに当接する鍔状の端板部２３ｅと、前記巻取り軸１６を下側で支持するための第２支持軸部２９を挿入することで、巻取り筒２３を第２支持軸部２９に対して回転可能とする円形の嵌合孔２３ｇが形成されている。なお、第１及び第２支持軸部２８，２９の構成については後述する。
【００２２】
一方、前記巻取り機構２４は、コイルバネ２４ａが捻られたときの復元力、すなわち捻り復元力を利用して、巻取り筒２３を軸回りに回転させることにより、該巻取り筒２３にスクリーン１１を巻き取るものである。具体的には、コイルバネ２４ａの一端を、前記巻取りボックス１７に対して固定的に設けられたバネ固定軸２４ｂに固定すると共に、その他端を、前記巻取り筒２３の内周側にスプライン嵌合することで該巻取り筒２３と一体に回転可能なバネ受け２４ｃに固定することにより構成されている。なお、本実施形態においては、前記コイルバネ２４ａ、バネ固定軸２４ｂ、及びバネ受け２４ｃは互いに同軸に配置されていて、バネ固定軸２４ｂがバネ受け２４ｃを相対的に回転可能に貫通している。
【００２３】
図１〜図３に示すように、前記巻取りボックス１７は、長手方向に延びる中空のボックス本体２５と、該ボックス本体の長手方向の両端を閉塞する第１端部カバー２６及び第２端部カバー２７とから構成されている。そして、前記ボックス本体２５は、前記建物開口部１の左右縦開口枠１ｃ，１ｄの何れか一方（本実施形態では右縦開口枠１ｄ）に当接させて固定する固定枠２５ａと、前記巻取りボックス１７を開閉可能にする蓋枠２５ｂとから形成されている。
【００２４】
このとき、前記ボックス本体２５において、前記固定枠２５ａは、前記右縦開口枠１ｄに当接させる外側面と見込方向（図３における上下方向）の背面とを形成するように断面略Ｌ字状に形成されており、一方、前記蓋枠２５ｂは、見込方向の正面と前記固定枠２５ａ側に向けて湾曲した内側面とを形成するように略Ｕ字状に形成されている。そして、前記固定枠２５ａの外側面の一端に形成されている前縁２５ｃに、前記蓋枠２５ｂの正面側の一端が回動可能に連結され、該蓋枠２５ｂを閉状態で係脱可能に係止することができるようになっている。
【００２５】
ボックス本体２５の内側面における見込方向の背面寄りの位置には、内側面と背面とに亘って開いた凹部１７ａが、長手方向に沿って前記可動框１８を収容できるように形成されている。また、該凹部１７ａの底における前記固定枠２５ａの背面側の他端と前記蓋枠２５ｂの内側面側の他端との間に、開閉動作時に、スクリーン１１を前記巻取りボックス１７内へと収容したり、該ボックス１７から繰り出したりするための開口部１７ｂが開設されている。
【００２６】
また、図２〜図６に示すように、前記第１及び第２端部カバー２６，２７は、それらの内面側に、前記巻取り軸１６をその両端で回動自在に支持するための第１支持軸部２８及び第２支持軸部２９と、スクリーン１１の両端部を掛け回してその送り方向を転換することで、前記ファスナ部材２０を前記ガイド溝１２に導くための前記転向子３０，３０とを有している。また、これら第１及び第２端部カバー２６，２７の見込み方向の背面側には、前記ガイド枠１２に対して連結される接続部３１，３１がそれぞれ設けられている。
【００２７】
図５に示すように、前記第１支持軸部２８は、第１端部カバー２６の内側面に固定されており、該内側面に固定的に立設する円柱状の軸受基部２８ａと、該軸受基部２８ａから内方に突出し該軸受基部２８ａよりも小径の円柱状の軸固定部２８ｂとにより一体に形成されている。また、該軸固定部２８ｂの先端面には、断面略矩形状の係止穴２８ｃが凹設されており、前記バネ固定軸２４ｂの先端に形成されている板状の嵌合板部２４ｄが、前記係止穴２８ｃに嵌合することで、バネ固定軸２４ｂは第１支持軸部２８に対して軸周りに固定的かつ挿通自在に連結される。このとき、軸受基部２８ａの径が前記嵌合孔２３ｆの径よりも僅かに小さく、該嵌合孔２３ｆが第１支持軸部２８の高さよりも大きな深さを有しているため、該軸固定部２８ｂが嵌合孔２３ｆ内に収容された状態で、前記巻取り筒２３が第１支持軸部２８に回転可能に支持される。従って、スクリーン１１の幅を巻取りボックス１７の幅により近づけることができ、スクリーン装置１０の開口面積をより広くすることができる。
【００２８】
一方で、前記第２支持軸部２９は、前記第２端部カバー２７の内側面に設けられる軌条部２７ａに案内されて該カバー２７に対して係脱可能に係止されるプレート状のスライド部２９ａと、該スライド部２９ａから回転自在に立設された軸固定部２９ｂとを備えている。そして、この軸固定部２９ｂを前記巻取り筒２３の下端側の端部巻取り部２３ｃに形成された嵌合孔２３ｇに対して固定的に嵌合することで、前記巻取り軸２３が第２支持軸部２９に回転自在に支持される。
【００２９】
前記転向子３０は、図３及び図６に示すように、略筒状に形成されたローラー部３０ａと、第１及び第２端部カバー２６，２７の内側面から内方に固定的に立設された円柱状の取付軸３２とから構成されている。また、該ローラー部３０ａは、基端側に設けられた筒状の小径部３０ｂと、先端側に設けられ該小径部３０ｂよりも大径で筒状の大径部３０ｃとを、一体成型することで形成されている。また、ローラー部３０ａには、該小径部３０ｂを軸方向に貫通し、取付軸３２よりも僅かに径の大きい第１貫通孔３０ｄと、該大径部３０ｃを軸方向に貫通し該第１貫通孔３０ｄよりも径の大きい第２貫通孔３０ｅが形成されている。そして、該第１貫通孔３０ｄと第２貫通孔３０ｅとの境界には、環状に形成された段部３０ｆが形成されている。
【００３０】
前記取付軸３２は第１貫通孔３０ｄの長さよりも短く形成されているため、取付軸３２の先端を前記段部３０ｆから突出させることなく、取付軸３２をローラー部３０ａに挿入させることができる。また、該取付軸３２の先端側にはネジ孔３２ａが設けられており、取付軸３２にローラー部３０ａを挿入した状態でネジ４１をネジ孔３２ａに螺合することで、ローラー部３０ａが取付軸３２に回転可能に取り付けられる。このとき、ネジ４１のネジ頭４１ａと前記段部３０ｆとの間に隙間が形成されている。
【００３１】
このローラー部３０ａへのスクリーン１１の掛け回しは、前記巻き取り軸１６に巻き付いているスクリーン１１ａ及び／又は基材２０ａを大径部３０ｃに掛け回すと共に、前記ファスナ部材２０の係合子２０ｂを小径部３０ｂに掛け回すことで行われる。その際、小径部３０ｂと係合子２０ｂとの接触を回避するために、小径部３０ｂの径ｄ１と大径部３０ｃの径ｄ２との差が該係合子２０ｂの厚さｔ以上となるように、小径部３０ｂ及び大径部３０ｃを形成することが望ましい。
【００３２】
また、図２及び図７〜図９に示すように、前記接続部３１は、インナーレール１４の第１端１４ｆを挿入すると共に、前記可動框１８の係合片１８ｂを受け入れるための受入溝３１ａと、該受入溝３１ａの開口側から突出され前記ガイド枠１２に対して嵌合可能に形成された嵌合部３１ｂと、インナーレール１４の端部開口１４ｄ側の端面を当接させるストッパ部である第１ストッパ３１ｃと、前記係合片１８ｂを当接させる第２ストッパ３１ｄとを備えている。また、前記受入溝３１ａの長手方向に沿った両側には、前記可動框１８の係合片１８ｂを受け入れるための第２框溝３１ｅ，３１ｅが互いに対向して形成されている。
【００３３】
一方で、前記転向子３０は、巻取りボックス１７の見込方向において、前記巻取り軸１６の回転軸Ｏ１よりも背面側に、該巻取り軸１６の最大半径はもちろん、スクリーン１１の全開状態の最大巻取り半径よりも離間して配置されている。また同時に、転向子３０の回転軸、すなわち中心軸Ｏ２は、前記巻取りボックス１７の見込方向において、前記巻取り軸１６の回転軸Ｏ１と前記インナーレール１４の端部開口１４ｄとの間に位置すると共に、開閉方向においては大径部３０ｃの背面側の外周面が該端部開口１４ｄの延長上に位置する。即ち、転向子３０の中心軸Ｏ２は、開閉方向において、ガイド溝１４ａの端部開口１４ｄよりもその延長側に位置している。また、ローラー部３０ａの大径部３０ｃの半径は、見込方向における転向子３０の中心軸Ｏ２と前記端部開口１４ｄの中心との距離に略等しくなっている。そのため、巻取り軸１６から繰り出されて転向子３０で転向されたファスナ部材２０の係合子２０ｂを、インナーレール１４の端部開口１４ｄからガイド溝１４ａ内へとよりスムーズに導入することが可能となる。
【００３４】
前記巻き取り軸１６に巻き付いている前記スクリーン１１は、固定枠２５ａの背面側に向かって引き出されて前記転向子３０に掛け回され、前記受入溝３１ａ、ガイドレール１４の端部開口１４ｄを通過して、インナーレール１４内に導かれる。その際、ファスナー部材２０の係合子２０ｂがローラー部３０ａの小径部３０ｂ側に位置しており、係合子２０ｂと小径部３０ｂとの接触が回避される。そのため、ノイズが発生したり、ファスナ部材２０が取り付けられたスクリーン１１の両側端の送りが乱れたりするのを防止することができ、その結果、スクリーン１１をより滑らかに転向させることが可能となる。また、前記中央巻取り部２３ａよりも端部巻取り部２３ｂ，２３ｃを小径とすることにより、スクリーン１１を巻取り筒２３に巻き取った際に、前記スクリーン本体１１ａよりも厚さの大きいファスナー部材２０を巻き取った部分が膨らむのを抑制することができ、スクリーン１１のスムーズで安定した巻取り動作及び繰出し動作を実現することができる。
【００３５】
次に、図２，図８及び図９に基づいて、可動框１８について説明する。前記可動框１８は、上下方向に延びる板状の框本体１８ａと、該框本体１８ａの上下端に設けられ板状に形成された一対の係合片１８ｂ，１８ｂとが設けられており、この係合片１８ｂが図４，図８に示す第１框溝２２ｂ及び前記第２框溝３１ｅ内に摺動自在に係合されている。また、可動框１８には前記スクリーン１１の他端側が係合により保持されている。
【００３６】
また、図１０，図１１に示すように、前記受け枠１９は、前記可動框１８及び巻取り軸１６に対して平行に取り付けられ、前記スクリーン１１の全閉時に該可動框１８を当接させるための板状の本体部１９ａと、該本体部１９ａの長手方向の両端部に設けられ前記ガイド枠１２の第２端１２ｂ側との連結を可能にする略Ｌ字状に形成された樹脂製の連結部材３９，３９とから成る。この連結部材３９は、前記本体部１９ａの端部に嵌入される受け枠嵌入部３９ａと、該受け枠嵌入部３９ａに対して鉛直に設けられガイド枠１２の第２端１２ｂ側に嵌入されるガイド枠嵌入部３９ｂとを備えている。
【００３７】
受け枠嵌入部３９ａの内側面には、前記ガイド枠１２に装着されたインナーレール１４の第２端１４ｇ側の端面をガイド枠１２の第１端１２ａ方向に付勢して、その第１端１２ａ側の端面を前記第１ストッパ３１ｃに当接させる付勢バネ３９ｃが設けられている。この付勢バネ３９ｃは、受け枠嵌入部３９ａの受け枠１９に沿った巻取りボックス１７方向を向いた周壁を略Ｕ字状に切り込んで成る板バネによって形成され、この板バネの先端部に、インナーレール１４の第２端１４ｇ側の端面に当接させる突部３９ｄが形成されている。
【００３８】
そのため、たとえ製造誤差や熱に起因するインナーレール１４の伸縮が生じたとしても、インナーレール１４のガイド枠１２に対する安定した装着状態を確保することができ、その結果、開閉動作の際に、ファスナ部材２０が取り付けられたスクリーン１１の両側端を、インナーレール１４のガイド溝１４ａに沿ってスムーズに案内することが可能となる。また、付勢バネ３９ｃが、連結部材３９の受け枠１９に沿った周壁を略Ｕ字状に切り込んで成る板バネによって形成され、板バネの先端部に、インナーレール１４の第２端１４ｆ側の端面に当接させる突部３９ｄが形成されているため、部品点数の増加を抑制することが可能となる。
【００３９】
以上、本発明に係る巻取り式スクリーン装置の実施形態について詳細に説明してきたが、本発明は上記実施形態に限定されるものではなく、本発明の要旨を逸脱しない範囲において、様々な設計変更が可能である。例えば、上記実施形態においては、前記ローラー部３０ａが前記取付軸３２に回転可能に取り付けられているが、該ローラー部３０ａは取付軸３２に固定されていてもよい。また、前記付勢バネ３９ｃは前記受け枠１９の周壁を切り込んで成る板バネによって形成されているが、該付勢バネ３９ｃは前記受け枠１９に取り付けられるコイルバネであってもよい。
【符号の説明】
【００４０】
１  建物開口部
１ａ，１ｂ  上下横開口枠
１ｃ，１ｄ  左右縦開口枠
１０  巻取り式スクリーン装置
１１  スクリーン
１２  ガイド枠
１２ａ  第１端
１２ｂ  第２端
１４  インナーレール
１４ａガイド溝
１４ｄ  端部開口
１４ｆ  第１端
１４ｇ  第２端
１６  巻取り軸
１７  巻取りボックス
１７ａ  凹部
１８  可動框
１９  受け枠
２０  ファスナ部材
２０ｂ  係合子
２２ａ  第１レール溝（レール溝）
３０  転向子
３０ｂ  小径部
３０ｃ  大径部
３１ｃ  第１ストッパ（ストッパ部）
３９  連結部材
３９ｃ  付勢バネ
３９ｄ  突部
【図１】
2016132920.tif 000003
【図２】
2016132920.tif 000004
【図３】
2016132920.tif 000005
【図４】
2016132920.tif 000006
【図５】
2016132920.tif 000007
【図６】
2016132920.tif 000008
【図７】
2016132920.tif 000009
【図８】
2016132920.tif 000010
【図９】
2016132920.tif 000011
【図１０】
2016132920.tif 000012
【図１１】
2016132920.tif 000013